(57)【要約】【課題】  音声等のメッセージの再生を、該メッセージを入力した入力者の情報の表示と共に実行可能な表示装置を提供する。【解決手段】  画像を表示する表示部６と、音声を入力する音声入力部１８と、前記音声入力部１８へ入力した音声の再生条件を設定する設定部４０と、前記設定部４０に設定された再生条件で前記音声を再生する際に、前記表示部６に前記音声を入力した人の情報を表示する表示制御部４４とを備えている。【選択図】  図２
2011227238.tif 000002
【特許請求の範囲】
【請求項１】
画像を表示する表示部と、
音声を入力する音声入力部と、
前記音声入力部へ入力した音声の再生条件を設定する設定部と、
前記設定部に設定された再生条件で前記音声を再生する際に、前記表示部に前記音声を入力した人の情報を表示する表示制御部と、を備えたことを特徴とする表示装置。
【請求項２】
前記設定部は、前記音声の再生のタイミングを設定することを特徴とする請求項１記載の表示装置。
【請求項３】
前記再生のタイミングの際に、周囲に人がいるかどうかを検出する検出部を備えたことを特徴とする請求項２記載の表示装置
【請求項４】
前記検出部により人を検出したことに応じて、当該人の顔を識別する識別部を備えたことを特徴とする請求項２記載の表示装置。
【請求項５】
前記設定部は、再生者を設定することを特徴とする請求項１記載の表示装置。
【請求項６】
前記再生者の設定は音声により行われ、
前記設定部は、前記音声を識別する音声識別部を備えていることを特徴とする請求項５記載の表示装置。
【請求項７】
顔の情報を記憶した記憶部を備え、
前記設定部は、前記表示部に前記顔の情報を表示することを特徴とする請求項５記載の表示装置。
【請求項８】
周囲に人がいるかどうかを検出する検出部を備えたことを特徴とする請求項５から７のいずれか一項に記載の表示装置。
【請求項９】
前記検出部により人を検出したことに応じて、当該人の顔を識別する識別部を備えたことを特徴とする請求項８記載の表示装置。
【請求項１０】
前記表示制御部は、前記音声を入力した人の顔の画像を表示することを特徴とする請求項１から９のいずれか一項に記載の表示装置。
【請求項１１】
前記音声入力部に音声が入力されたことを通報する第１通報部を備えたことを特徴とする請求項１から１０のいずれか一項に記載の表示装置。
【請求項１２】
前記音声を入力した人に前記再生条件での再生結果を通報する第２通報部を備えたことを特徴とする請求項１から１１のいずれか一項に記載の表示装置。
【発明の詳細な説明】
【技術分野】
【０００１】
本発明は、メッセージの入力及び再生可能な表示装置に関するものである。
【背景技術】
【０００２】
登録モードにおいて、カメラによりユーザーを撮影し、撮影されたユーザーの顔認識により抽出された顔（特徴量）に関連付けてユーザーによりマイクロホンを介して録音された音声ファイルを内蔵メモリに登録し、再生モードにおいて、カメラにより人物撮影を行い、撮影された人物の顔認識により抽出された顔が登録されたユーザーの顔であると判定されたときに、ユーザーの顔に関連付けて登録されている音声ファイルを再生する再生装置が提案されている（例えば、特許文献１参照）。なお、この再生装置においては、音声ファイルを登録するユーザーと、音声ファイルを再生するユーザーとは、同一人物であってもよく、異なる人物であってもよい。
【先行技術文献】
【特許文献】
【０００３】
【特許文献１】特開２００９−１７１１７６号公報
【発明の概要】
【発明が解決しようとする課題】
【０００４】
ところで、上述の特許文献１記載の再生装置では、登録モードにおいて、音声ファイルを登録、即ち音声を録音したユーザーが誰であるかを示す情報を入力しないため、再生モードにおいて、音声ファイルを再生するユーザーは、音声ファイルを登録した人を特定することができない。即ち、音声ファイルを登録したユーザーと、音声ファイルを再生するユーザーとが異なる人物であった場合には、音声ファイルを再生するユーザーは、音声ファイルを登録したユーザーが誰であるかを知ることができない。また、音声ファイルを登録したユーザーと、音声ファイルを再生するユーザーとが同一人物である場合には、自分が音声ファイルを登録したことを忘れずに覚えておく必要がある。
【０００５】
本発明の目的は、音声等のメッセージの再生を、該メッセージを入力した入力者の情報の表示と共に実行可能な表示装置を提供することである。
【課題を解決するための手段】
【０００６】
本発明の表示装置は、画像を表示する表示部と、音声を入力する音声入力部と、前記音声入力部へ入力した音声の再生条件を設定する設定部と、前記設定部に設定された再生条件で前記音声を再生する際に、前記表示部に前記音声を入力した人の情報を表示する表示制御部とを備えていることを特徴とする。
【発明の効果】
【０００７】
本発明の表示装置によれば、メッセージの出力時に該メッセージを入力した入力者を示す情報を表示することができる。
【図面の簡単な説明】
【０００８】
【図１】実施の形態に係るデジタルフォトフレームの外観を示す斜視図である。
【図２】実施の形態に係るデジタルフォトフレームのシステム構成を示すブロック図である。
【図３】実施の形態に係るデジタルフォトフレームにおいてユーザー情報を登録する際の処理について説明するためのフローチャートである。
【図４】登録部に登録されているテーブルを示す図である。
【図５】実施の形態に係るデジタルフォトフレームにおいてメッセージを入力する際の処理について説明するためのフローチャートである。
【図６】実施の形態に係るデジタルフォトフレームにおいてメッセージを再生する際の処理について説明するためのフローチャートである。
【発明を実施するための形態】
【０００９】
以下、図面を参照して、本発明の実施の形態に係る表示装置としてのデジタルフォトフレーム（以下、ＤＰＦという。）について説明する。なお、一般に、ＤＰＦとしては机等の上に立て掛けて設置するものや、壁に掛けて設置するもの等が存在するが、本実施の形態としては、机等に立て掛けて設置するもの（電子写真立て）を例にして説明する。図１は、この実施の形態に係るＤＰＦの外観を示す斜視図である。ＤＰＦ２は、ガラスやプラスチック等からなる装置本体４を備え、装置本体４の前面には、鑑賞用画像、ユーザーの動画メッセージ、時刻等の情報を電気的に表示するＬＣＤパネル６が設けられている。また、装置本体４の前面には、ユーザーの音声メッセージ等が入力されるマイク８、ユーザーの顔画像やユーザーの動画メッセージ等を撮像するためのカメラ１０、及び音楽や音声メッセージ等が出力されるスピーカ１２が設けられている。また、装置本体４の前面には、図示しないＤＰＦ２の操作用リモコンから出力される赤外線を検出する赤外線検出部１４、及び人が発する赤外線を検出する赤外線センサおよびフレネルレンズを有し装置本体４の周囲に人が存在するか否かを検出する焦電センサ１６が設けられている。本実施の形態において、焦電センサ１６は、視野角（検出角度）が±５０度で、検出視野（検出距離）が５ｍの焦電センサを２つ用いているが、焦電センサの視野角、検出視野、個数は任意に設定することができる。
【００１０】
また、装置本体４の上面には、ＤＰＦ２の電源のオン・オフ状態を切り替える電源スイッチ２０、ＤＰＦ２の機能設定やＬＣＤパネル６の表示設定の際に使用する操作キー２２、後述するメッセージを録音・録画や再生する際に使用するメッセージボタン２４、及びメッセージボタン２４の上面にＬＥＤ等により構成され、メッセージの有無を報知するためのメッセージランプ２６が設けられている。また、装置本体４の一方の側面には、鑑賞用画像や音声等のデータが記憶されたメモリカードが挿入されるメモリカードスロット２８、ＵＳＢ機器が接続されるＵＳＢポート３０、及びインターネット等のネットワークに接続するために用いられるネットワーク端子３２が設けられている。
【００１１】
なお、本実施の形態では、ＤＰＦ２の電源が入っていない場合でも、焦電センサ１６には電源供給がされており、常時または、ある時間間隔（例えば１５分間隔または日中が１５分間隔で、夜間がそれより長い３０分間隔）で人の検出を行い、人を検出した場合には、後述のＣＰＵ４０を起動するようになっている。
【００１２】
図２は、この実施の形態に係るＤＰＦ２のシステム構成を示すブロック図である。図２に示すように、ＤＰＦ２の各部を統括的に制御するＣＰＵ４０には、上述の赤外線検出部１４、電源スイッチ２０、操作キー２２、メモリカードスロット２８、ＵＳＢポート３０、ネットワーク端子３２、メッセージボタン２４、メッセージランプ２６、及び焦電センサ１６が接続されている。
【００１３】
また、ＣＰＵ４０には、内部メモリ４２、表示制御部４４、再生制御部４６、顔認識部４８、音声認識部５０、フラッシュメモリを有した登録部５２、及び時計５４が接続されている。内部メモリ４２には、ＬＣＤパネル６に表示するための画像や、スピーカ１２から出力される音声のデータ等が記憶される。表示制御部４４は、ＬＣＤパネル６に表示される画像やメッセージ等の表示制御を行い、再生制御部４６は、スピーカ１２から出力される音楽や音声の再生制御を行う。また、顔認識部４８は、例えば特開２００７-９４６３３号（米国公開第２００７／００７１３２９号）などに開示されている周知の顔認識機能を用いて、カメラ１０により撮像される画像から人物の顔を認識し、顔認識結果をＣＰＵ４０に対して出力する。音声認識部５０は、例えば特開２００２-３６６１９２号（米国特許第７２１６０７５号）などに開示されている周知の音声認識機能を用いて、マイク８により集音される人物の音声を認識し、音声認識結果をＣＰＵ４０に対して出力する。また、マイク８と音声識別部５０との間には、マイクが収集した音声を入力する音声入力部１８が設けられており、この音声入力部１８に入力された音声は内部メモリ４２に格納（録音）される。
【００１４】
登録部５２には、後述する登録モードにおいてユーザーの顔画像や名前の音声を含むユーザー情報が登録される。時計５４は、時刻及び日付の管理を行う。
【００１５】
この実施の形態に係るＤＰＦ２では、ユーザーからユーザー自身または他のユーザーへのメッセージとして、音声メッセージまたは動画付き音声メッセージを入力し、記録することができる。このとき、音声入力部１８を介して入力されるメッセージに、メッセージを入力するユーザー（以下、入力者という。）が誰であるかを示すユーザー情報（以下、入力者情報という。）と、メッセージを受け取るユーザー（以下、受取者という。）が誰であるかを示すユーザー情報（以下、受取者情報という。）とを付加し、このメッセージを内部メモリ４２に記録する。また、入力（記録）されたメッセージを再生する際、メッセージの再生者がメッセージの受取者であるか否かを判別し、受取者であると判別された場合には、メッセージの再生及び入力者情報の出力を実行する。
【００１６】
なお、メッセージの入力者及びメッセージの受取者を特定するために、ユーザー（入力者及び受取者）の顔や名前等を含むユーザー情報（入力者情報及び受取者情報）を予め登録する。以下、図３に示すフローチャートを参照して、この実施の形態に係るＤＰＦ２においてユーザー情報を登録する際の処理について説明する。
【００１７】
まず、ＣＰＵ４０は、ユーザーにより操作キー２２等を介してユーザー登録を行う操作指示がなされた場合には、登録モードに移行し、ユーザー（以下、登録者という。）に対してカメラ１０の前に位置するよう、例えばＬＣＤパネル６に表示する（または、スピーカ１２から再生する）等して指示する。そして、ＣＰＵ４０は、カメラ１０に登録者の顔画像を含む画像を撮像させる（ステップＳ１０）。なお、カメラ１０に登録者の顔画像を撮像させる代わりに、内部メモリ４２やメモリカードスロット２８に挿入されているメモリカード（図示せず）等に記録されている画像（例えば、サムネイル画像等）をＬＣＤパネル６に表示させ、ＬＣＤパネル６に表示される画像の中から登録者の顔画像を含む画像を登録者により操作キー２２等を介して選択させてもよい。この場合には、登録処理を実行している人物は、他の人物の顔画像を選択することもできる。即ち、登録する人物（ＤＰＦ２を操作している人物）と、登録される人物（登録者）とが異なる人物であってよく、例えば、ＤＰＦ２をプレゼントとして贈る場合等、贈る人が贈られる人を予め登録しておくことも可能である。
【００１８】
次に、ＣＰＵ４０は、ステップＳ１０においてカメラ１０により撮像された画像から、顔認識部４８に周知の顔認識機能を用いて登録者の顔を認識させ（ステップＳ１１）、顔認識部４８による顔認識結果、即ち登録者の顔画像や登録者の顔の特徴量等を取得する。
【００１９】
次に、ＣＰＵ４０は、登録者に対してマイク８に向かって登録者の名前を発声するよう、例えばＬＣＤパネル６に表示する（または、スピーカ１２から再生する）等して指示する。そして、ＣＰＵ４０は、マイク８により登録者が発声した登録者の名前の音声を取得する（ステップＳ１２）。なお、ステップＳ１０及びステップＳ１２の処理を同時に行ってもよい。なお、名前の登録はマイク８を用いた音声登録に代えて、ＣＰＵ４０が表示制御部４４を介してＬＣＤパネル６にアルファベットもしくは平仮名を表示させて、操作用リモコンを用いて名前を登録するようにしてもよい。
【００２０】
次に、ＣＰＵ４０は、ステップＳ１２においてマイク８により入力された音声から、音声認識部５０に周知の音声認識機能を用いて登録者の名前の音声を認識させ（ステップＳ１３）、音声認識部５０による音声認識結果、即ち登録者の名前の音声や語句等を取得する。次に、ＣＰＵ４０は、顔認識部４８による顔認識結果及び音声認識部５０による音声認識結果から、登録者の顔画像及び名前を登録者のユーザー情報として登録部５２のフラッシュメモリへ登録する（ステップＳ１４）。例えば、ＣＰＵ４０は、各ユーザー情報を図４に示すように、テーブル形式で登録部５２に順次登録する。
【００２１】
なお、ユーザー情報として、登録者の顔画像及び名前に加え、他の登録者とグループ化したグループ情報を登録することもできる。例えば、ＣＰＵ４０は、図４に示すように、登録者Ａ，Ｂ，Ｃが一家族を構成している場合には、登録者Ａ，Ｂ，Ｃをグループ化し、「グループ１」のグループ名「家族１」として、登録者Ｂ，Ｃ，Ｅが子供である場合には、登録者Ｂ，Ｃ，Ｅをグループ化し、「グループ２」のグループ名「子供」として、グループ情報を登録する。このグループ名は、メッセージを入力する際にメッセージの受取者として指定可能であり、詳細については後述する。
【００２２】
次に、図５に示すフローチャートを参照して、この実施の形態に係るＤＰＦ２においてメッセージを入力する際の処理について説明する。
【００２３】
まず、ＣＰＵ４０は、メッセージボタン２４が入力者により押下されたか否かを判別する（ステップＳ２０）。ステップＳ２０においてメッセージボタン２４が押下されたと判別された場合には（ステップＳ２０、Ｙｅｓ）、ＣＰＵ４０は、メッセージ入力モードに移行し、入力者に対して動画なしの音声メッセージの入力か、動画及び音声ありの動画付き音声メッセージの入力かを選択するよう、例えばＬＣＤパネル６に表示する（または、スピーカ１２から再生する）等して指示する。動画なしの音声メッセージは、動画付き音声メッセージと比較して臨場感に欠けるが、メッセージを内部メモリ４２に記録する際にその記録容量の節約を実現することができる。なお、この実施の形態では、入力者が動画なしの音声メッセージの入力を選択したものとして説明する。
【００２４】
次に、ＣＰＵ４０は、カメラ１０及びマイク８をオンさせ（ステップＳ２１）、入力者に対してカメラ１０の前に位置するよう指示する。そして、ＣＰＵ４０は、カメラ１０に入力者の顔画像を含む画像を撮像させ（ステップＳ２２）、カメラ１０により撮像された画像から、顔認識部４８に入力者の顔を認識させる（ステップＳ２３）。
【００２５】
次に、ＣＰＵ４０は、顔認識部４８による顔認識結果から、入力者の入力者情報が登録部５２に登録されているか否かを判別する（ステップＳ２４）。具体的には、登録部５２に登録されているユーザー情報に含まれる登録者の顔画像の中に、顔認識部４８による顔認識結果に基づく入力者の顔と一致するものがあるか否かを判別する。
【００２６】
ステップＳ２４において入力者の入力者情報が登録部５２に登録されていないと判別された場合には（ステップＳ２４、Ｎｏ）、ＣＰＵ４０は、メッセージ入力モードから登録モードへと移行し（ステップＳ２５）、図３のステップＳ１０〜Ｓ１４に示す処理、即ち入力者の入力者情報を登録する処理を実行する。そして、登録モードにおいて入力者の入力者情報の登録を終えた後、ＣＰＵ４０は、登録モードからメッセージ入力モードへと再移行し、入力者に対してマイク８に向かってメッセージの受取者の名前を発声するよう指示し、図５のステップＳ２６の処理へと進む。
【００２７】
一方、ステップＳ２４において入力者の入力者情報が登録部５２に登録されていると判別された場合には（ステップＳ２４、Ｙｅｓ）、ＣＰＵ４０は、入力者に対してマイク８に向かってメッセージの受取者の名前を発声するよう指示する。そして、ＣＰＵ４０は、マイク８により入力者が発声した受取者の名前の音声を取得し（ステップＳ２６）、マイク８により入力された音声から、音声認識部５０に受取者の名前の音声を認識させる（ステップＳ２７）。
【００２８】
次に、ＣＰＵ４０は、音声認識部５０による音声認識結果から、受取者の受取者情報が登録部５２に登録されているか否かを判別する（ステップＳ２８）。具体的には、登録部５２に登録されているユーザー情報に含まれる登録者の名前の中に、音声認識部５０による音声認識結果に基づく受取者の名前の音声と一致するものがあるか否かを判別する。
【００２９】
ステップＳ２８において受取者の受取者情報が登録部５２に登録されていないと判別された場合には（ステップＳ２８、Ｎｏ）、ＣＰＵ４０は、メッセージ入力モードから登録モードへと移行し（ステップＳ２９）、図３のステップＳ１０〜Ｓ１４に示す処理、即ち受取者の受取者情報を登録する処理を実行する。なお、受取者の顔画像については、内部メモリ４２等に記録されている画像の中から選択する。そして、登録モードにおいて受取者の受取者情報の登録を終えた後、ＣＰＵ４０は、登録モードからメッセージ入力モードへと再移行し、図５のステップＳ３０の処理へと進む。
【００３０】
一方、ステップＳ２８において受取者の受取者情報が登録部５２に登録されていると判別された場合には（ステップＳ２８、Ｙｅｓ）、ＣＰＵ４０は、メッセージボタン２４が入力者により押下されたか否かを判別する（ステップＳ３０）。ステップＳ３０においてメッセージボタン２４が押下されたと判別された場合には（ステップＳ３０、Ｙｅｓ）、ＣＰＵ４０は、マイク８から入力される音声を、入力者から受取者へのメッセージ（音声メッセージ）として記録開始する（ステップＳ３１）。具体的には、マイク８から入力された音声に入力者情報及び受取者情報を付加し、この音声を内部メモリ４２に記録する。そして、ＣＰＵ４０は、メッセージボタン２４が再び押下されるまでの間（ステップＳ３２、Ｎｏ）、マイク８から入力される音声の記録を継続し、メッセージボタン２４が再び押下されると（ステップＳ３２、Ｙｅｓ）、マイク８から入力される音声の記録を停止する（ステップＳ３３）。
【００３１】
なお、入力者が動画及び音声ありの動画付き音声メッセージの入力を選択した場合には、ＣＰＵ４０は、カメラ１０により撮像される動画及びマイク８から入力される音声を、入力者から受取者へのメッセージとして内部メモリ４２へ記録開始し（ステップＳ３１）、メッセージボタン２４が押下されると（ステップＳ３２、Ｙｅｓ）、カメラ１０により撮像される動画及びマイク８から入力される音声の、内部メモリ４２への記録を停止する（ステップＳ３３）。
【００３２】
また、上述のメッセージを入力する際の処理では、メッセージの受取者として登録部５２に登録されている登録者を指定しているが、メッセージの受取者として登録部５２に登録されているグループ名を指定することにより指定されたグループに属する複数の登録者を指定することができる。この場合には、ＣＰＵ４０は、メッセージの受取者としてグループ名の音声を入力させ、入力されたグループに属する複数の登録者のユーザー情報を複数の受取者の受取者情報としてメッセージに付加する。例えば、図４に示すグループ名「家族１」の音声が入力されると、ＣＰＵ４０は、グループ「家族１」に属する３人の登録者Ａ，Ｂ，Ｃのユーザー情報を受取者情報としてメッセージに付加する。
【００３３】
また、メッセージの受取者として不特定多数の受取者を指定することもできる。この場合には、予め不特定多数の受取者であることを示すキーワード、例えば「不特定多数」「みんな」「その他」等を登録し、ＣＰＵ４０は、メッセージの受取者として上記のキーワードがマイク８により音声として入力された場合、またはメッセージの受取者として何も入力されずにメッセージボタン２４が押下された場合には、受取者が不特定多数であることを示す情報をメッセージに付加する。
【００３４】
次に、図６に示すフローチャートを参照して、この実施の形態に係るＤＰＦ２においてメッセージを再生する際の処理について説明する。
【００３５】
まず、ＣＰＵ４０は、入力者によりメッセージが入力され、記録されていることを報知するために、メッセージランプ２６を点滅させる（ステップＳ４０）。そして、ＣＰＵ４０は、焦電センサ１６からの検出結果に基づいて、装置本体４（ＤＰＦ２）の周囲に人が存在するか否かを判別する（ステップＳ４１）。ステップＳ４１において装置本体４の周囲に人が存在すると判別され（ステップＳ４１、Ｙｅｓ）、ＤＰＦ２が低消費電力モードに設定されている場合には、ＣＰＵ４０は、ＤＰＦ２を低消費電力モードから通常稼働モードへと移行し（ステップＳ４２）、かつ再生モードへと移行する。なお、低消費電力モードとは、ＤＰＦ２において何ら操作が行われていない状態やＤＰＦ２に接続される外部装置等からの信号入力がない状態が予め設定された所定時間以上継続した場合に、必要最小限の電力消費となるように移行した状態のことである。また、通常稼働モードとは、ＤＰＦ２において操作等を直ちに行うことができる状態のことである。なお、ＣＰＵ４０は、消費電力を節約するために、焦電センサ１６により周囲に人がいることを確認した後に、メッセージランプ２６を点滅するようにしてもよい。また、ＣＰＵ４０は、メッセージの受取りが誰でもよい場合には、周囲に人がいることを確認した後にスピーカ１２により例えばビ−プ音を発するようにしてもよい。
【００３６】
ＣＰＵ４０は、ＤＰＦ２を通常稼動モードにした後に、焦電センサ１６の出力により周囲に人がいることを再度確認する（ステップＳ４３）。そして、ＣＰＵ４０は、周囲に人がいることを再度確認できた場合に、カメラ１０をオンにして（ステップＳ４４）、カメラ１０により再生者の顔画像を含む画像を撮像する（ステップＳ４５）。
【００３７】
一方、ＣＰＵ４０は、周囲に人が再度確認できなかった場合に（ステップＳ４３、Ｎｏ）、本フローチャートを終了する。これは、再生者が単にＤＰＦ２が設置されている部屋を通りすぎただけの場合を想定した処理である。なお、ＣＰＵ４０は、ステップＳ４１にて周囲の人を確認する場合に、所定時間（例えば２〜５秒）連続して焦電センサ１６の出力より人がいることを確認した場合には、ステップＳ４３を省略してもよい。
【００３８】
次に、ＣＰＵ４０は、ステップＳ４５においてカメラ１０により撮像された画像から、顔認識部４８に再生者の顔を認識させ（ステップＳ４６）、顔認識部４８による顔認識結果から、再生者宛のメッセージ、即ち再生者を受取者とするメッセージが存在するか否かを判別する（ステップＳ４７）。具体的には、再生者のユーザー情報が登録部５２に登録されているか否かを判別し、登録部５２に登録されていると判別された場合には、登録されているユーザー情報が受取者情報として付加されたメッセージが内部メモリ４２に記録されているか否かを判別する。
【００３９】
ステップＳ４７において再生者宛のメッセージが存在すると判別された場合には（ステップＳ４７、Ｙｅｓ）、ＣＰＵ４０は、再生者を受取者とするメッセージが存在する旨を、例えばスピーカ１２から「（受取者の名前）さん宛のメッセージがあります。」等の音声を出力する等して、再生者（受取者）に対して報知する（ステップＳ４８）。
【００４０】
次に、ＣＰＵ４０は、メッセージボタン２４が再生者（受取者）により押下されたか否かを判別する（ステップＳ４９）。ステップＳ４９においてメッセージボタン２４が押下されたと判別された場合には（ステップＳ４９、Ｙｅｓ）、ＣＰＵ４０は、再生者を受取者とするメッセージを内部メモリ４２から読込み、再生する（ステップＳ５０）。
【００４１】
このとき、ＣＰＵ４０は、メッセージの再生と同時に、メッセージを入力した入力者が誰であるかを示す入力者情報を出力する。例えば、メッセージが音声メッセージの場合には、ＣＰＵ４０は、スピーカ１２より音声メッセージを再生している間、表示制御部４４を介してＬＣＤパネル６に入力者の顔画像を表示させる。なお、入力者の顔画像として、登録部５２に登録されている入力者情報に含まれる顔画像を表示してもよく、または図５のステップＳ２２において撮像した顔画像を内部メモリ４２に記録し、表示してもよい。登録部５２に登録されている顔画像を表示する場合には、図５のステップＳ２２において撮像した顔画像を内部メモリ４２に記録する必要がないため、内部メモリ４２の記録容量を節約することができ、図５のステップＳ２２において撮像した顔画像を内部メモリ４２に記録し、表示する場合には、メッセージ入力時の入力者の顔画像、即ち最新の入力者の顔画像を受取者に見せることができる。
【００４２】
なお、メッセージが動画付き音声メッセージの場合には、動画の中に入力者の顔画像が含まれているものとし、ＬＣＤパネル６に動画メッセージを再生することにより入力者が誰であるかを示す入力者情報が出力されるものとする。また、メッセージが動画付き音声メッセージの場合には、スピーカ１２より音声メッセージを、ＬＣＤパネル６より動画メッセージを再生する前に、ＬＣＤパネル６に入力者の顔画像を表示させてもよい。
【００４３】
一方、ステップＳ４７において再生者宛のメッセージが存在しないと判別された場合には（ステップＳ４７、Ｎｏ）、ＣＰＵ４０は、再生者を受取者とするメッセージが存在しない旨を再生者に対して報知する（ステップＳ５１）。例えば、再生者のユーザー情報が登録部５２に登録されている場合には、スピーカ１２から「（再生者の名前）さん宛のメッセージはありません。」等の音声を出力する。
【００４４】
また、この実施の形態では、ステップＳ５０においてメッセージが再生された後、ＣＰＵ４０は、入力者または受取者により操作キー２２等を介してメッセージの削除の指示がなされない限り、メッセージを内部メモリ４２から削除しない。そして、入力者または受取者により操作キー２２等を介して過去に再生されたメッセージの再生の指示がなされた場合には、ＣＰＵ４０は、入力者が過去に入力したメッセージまたは受取者が過去に受け取ったメッセージを抽出し、メッセージ一覧等をＬＣＤパネル６に表示する。そして、入力者または受取者により操作キー２２等を介してメッセージ一覧の中の１つが選択されると、ＣＰＵ４０は、選択されたメッセージを再生する。即ち、ＣＰＵ４０は、例えば、内部メモリ４２内に、登録部５２に登録されている登録者毎の受信フォルダ及び送信フォルダを設け、メッセージが入力される度に、そのメッセージを入力者の送信フォルダ内及び受取者の受信フォルダ内に格納する。そして、ユーザーにより過去に再生されたメッセージの再生の指示がなされた場合には、ＣＰＵ４０は、ユーザーを識別し、ユーザーがユーザー自身の送信フォルダ及び受信フォルダを閲覧することができるように、送信フォルダ及び受信フォルダのアイコン等をＬＣＤパネル６に表示する。そして、ユーザーによりフォルダ内のメッセージの１つが選択されると、ＣＰＵ４０は、選択されたメッセージを再生する。なお、ＣＰＵ４０は、フォルダ内のメッセージの数が所定数を超えたとき、またはメッセージがフォルダ内に格納されてから所定期間経過したとき（時計５４から所定期間を検出）、内部メモリ４２の記録容量を節約するために、入力日時の古いメッセージの圧縮や削除等の処理を実行する。
【００４５】
この実施の形態に係るＤＰＦ２によれば、音声や動画のメッセージの再生と同時に、メッセージを入力した入力者を示す入力者情報の出力を実行するため、メッセージの受取者にメッセージの入力者が誰であるかを確実に伝えることができる。また、メッセージを再生する際、再生者がメッセージの受取者であるか否かを確認し、再生者がメッセージの受取者である場合に限り、メッセージを再生することができるため、受取者以外のユーザーがメッセージを再生するのを防止することができ、個々のユーザーのプライバシーを保護することができる。
【００４６】
なお、上述の実施の形態においては、メッセージが入力されると、受取者はいつでもメッセージを再生可能である場合を例に挙げて説明したが、メッセージ入力モードにおいて入力者がメッセージの再生タイミング（再生日時）を設定することができる構成にすることもできる。具体的には、ＣＰＵ４０は、図５のステップＳ３１の処理の前、または図５のステップＳ３３の処理の後等に、入力者から操作キー２２もしくは操作用リモコンを介してメッセージの再生日時を設定する指示がなされた場合には、例えばメッセージの再生日時を入力する画面をＬＣＤパネル６に表示する。そして、入力者によりメッセージの再生日時が入力されると、ＣＰＵ４０は、入力された再生日時の情報を付加した状態で、メッセージを記録する。そして、ＣＰＵ４０は、時計５４の示す日時がメッセージの再生日時になるまでメッセージランプ２６を点滅させず、時計５４の示す日時がメッセージの再生日時になるとメッセージランプ２６を点滅させる。例えば、誕生日や記念日等に向けて事前にメッセージを入力し、誕生日や記念日当日までメッセージの再生を禁止し、当日になってメッセージを再生可能にしたい場合等に有効である。また、メッセージの再生日時を設定し、時計５４の示す日時がメッセージの再生日時になると自動でメッセージを再生する構成にすることもできる。例えば、このメッセージの自動再生を目覚まし時計として機能させることができる。
【００４７】
また、メッセージの再生タイミングは、時刻の指定に幅を持たせてもよく（例えば、午前７時から午後７時まで）、時刻を指定することなく日にちを指定してもよく、日にちにも幅を持たせてもよい（例えば、１月１日から１月３日）。この場合、ＣＰＵ４０は、指定の日にち、もしくは時刻の間に焦電センサ１６により人を認識するとともに、顔認識部４８により指定された人の顔を認識して、スピーカ１２によりメッセージを出力すればよい。メッセージの受取りが誰でもよい場合、例えば備忘録としてメッセージ機能を使う場合は、焦電センサ１６により人を認識したときにメッセージを出力すればよい。
【００４８】
ＣＰＵ４０は、顔認識部４８により入力者の顔を検出したときに、入力したメッセージを受取者が受け取ったかどうかＬＣＤパネル６に表示し、入力したメッセージの削除を行うかどうかのメニューをＬＣＤパネル６に表示し、操作キー２２もしくは操作用リモコンの操作に応じてメッセージを削除するかどうか判断する。なお、ＣＰＵ４０は、スピーカ１２により入力したメッセージの受取結果を入力者に伝達してもよく、マイク８により入力した入力者の音声を音声認識部５０により認識して、この認識結果に応じてメッセージを削除するかどうか判断してもよい。
【００４９】
また、上述の実施の形態においては、メッセージが入力されたことを報知するためにメッセージランプ２６を点滅させているが、メッセージが入力されたことを報知するスピーカ１２からの音声の出力やＬＣＤパネル６への表示等を行う構成にすることもできる。また、メッセージランプ２６の代わりに、ＬＥＤ等により構成され、ＣＰＵ４０の制御により複数の色に発光するメッセージランプを備え、メッセージが入力されると、メッセージの受取者毎にメッセージランプの色を変化させる構成にすることもできる。この場合には、まず、ＣＰＵ４０は、受取者の受取者情報を登録部５２に登録する際に、受取者毎にメッセージランプの色を設定する。即ち、各受取者のメッセージランプの色が異なるように設定し、設定した受取者のメッセージランプの色を受取者情報に付加する。その後、所定の受取者宛にメッセージが入力されると、ＣＰＵ４０は、登録部５２に登録されている所定の受取者の受取者情報に含まれるメッセージランプの色が例えば赤色である場合には、所定の受取者宛にメッセージがあることを報知するために、メッセージランプを赤色で点滅させる。この場合には、再生者は、メッセージランプの色を視認することにより、再生者宛のメッセージが入力されたか否かを確認することができる。
【００５０】
また、上述の実施の形態においては、ユーザーの顔画像及び名前の音声をユーザー情報として登録部５２に登録しているが、ユーザーの顔画像またはユーザーの名前の音声の何れか一方をユーザー情報として登録部５２に登録してもよい。
【００５１】
また、上述の実施の形態においては、メッセージを入力する処理の中で、入力者の顔画像を撮像し、入力者の顔画像及び登録部５２に登録されている登録者の顔画像に基づいて入力者を識別しているが、入力者の顔画像に代えて入力者の名前の音声を入力し、入力者の名前の音声及び登録部５２に登録されている登録者の名前の音声に基づいて入力者を識別する構成にしてもよい。また、入力者の顔画像及び音声の両方を入力し、入力者の顔画像及び音声の両方に基づいて入力者を識別する構成にしてもよい。
【００５２】
また、上述の実施の形態においては、メッセージを入力する処理の中で、受取者の名前の音声を入力し、受取者の名前の音声に基づいて受取者を識別しているが、これに限られるものではない。ＣＰＵ４０は、例えば登録部５２に登録されている顔画像と名前との少なくとも一方をＬＣＤパネル６に表示して、操作用リモコンにより選択された顔画像に基づいて受取者を識別する構成にしてもよい。また、ＣＰＵ４０は、内部メモリ４２に記憶されている顔画像をＬＣＤパネル６に表示して、操作用リモコンにより選択された顔画像を受取者としてもよい。
【００５３】
また、上述の実施の形態においては、メッセージを再生する処理の中で、再生者の顔画像を撮像し、再生者の顔画像及び登録部５２に登録されている登録者の顔画像に基づいて再生者（受取者）を識別しているが、再生者の顔画像に代えて再生者の名前の音声を入力させ、再生者の名前の音声及び登録部５２に登録されている登録者の名前の音声に基づいて再生者（受取者）を識別する構成にしてもよい。また、再生者の顔画像及び音声の両方を入力し、再生者の顔画像及び音声の両方に基づいて再生者（受取者）を識別する構成にしてもよい。
【００５４】
なお、上述の実施の形態において、焦電センサ１６をＬＣＤパネル６の下方に設けたが、ＬＣＤパネルの上方に設けてもよい。この場合、焦電センサ１６が１つの場合には、カメラ１０の近傍（中央付近）に配置すればよく、焦電センサ１６が２つの場合には２つのマイク８のそれぞれの近傍（両端付近）に配置すればよい。また、焦電センサ１６を複数設ける場合に、例えば検出距離の異なる焦電センサを用いて、ＣＰＵ４０が検出距離の長い焦電センサで人を検出した際にメッセージランプ２６の点滅を開始させて、検出距離の短い焦電センサで人を検出した際にカメラ１０をオンするようにしてもよい。
【００５５】
また、上述の実施の形態において、登録者の顔画像及び名前を含む登録者のユーザー情報を登録部５２のフラッシュメモリに記憶させたが、内部メモリ４２に記憶させて登録部５２のフラッシュメモリを省略してもよい。
【００５６】
また、上述の実施の形態においては、本発明の表示装置としてＤＰＦを例に挙げて説明したが、テレビやパソコンなどの他の表示装置においても本発明を適用することができる。
【符号の説明】
【００５７】
２…ＤＰＦ（デジタルフォトフレーム）、６…ＬＣＤパネル、８…マイク、１０…カメラ、１２…スピーカ、１６…焦電センサ、２４…メッセージボタン、２６…メッセージランプ。
【図１】
2011227238.tif 000003
【図２】
2011227238.tif 000004
【図３】
2011227238.tif 000005
【図４】
2011227238.tif 000006
【図５】
2011227238.tif 000007
【図６】
2011227238.tif 000008